(57)【要約】  ドッキングレセプタ装置を備えるベースステーションおよび飛行ドローン上にある適合するドッキングプローブから構成される金属空気バッテリー用電解液補充システム。ドローンの機内にあるプローブが、ベースステーション上の電解液ドッキングレセプタに接続するためにドローンを誘導するセンサを有する。ドローンが、飛行を継続しながらまたは短時間の着陸中に、新しい電解液を入手するためにおよび同時に使用済みの電解液をベースステーションの中へ排出するためにプローブを使用する。電解液を迅速に交換することにより、機内の電解液再調整システムおよびそれに付随する重量による不利益なしで、範囲を広げて飛行時間を延ばすのを可能にする。【選択図】図１
2021534035.tif 000002
【特許請求の範囲】
【請求項１】
空中ドローンシステムであって、前記空中ドローンシステムが、空中ドローンと、高速電解液補充システムとを備え、
前記空中ドローンは、
金属空気バッテリー；
熱交換器；
受け口を検出するためのセンサのアレイ；
電解液タンクであって、（１）第１の入口弁および第１の出口弁を備える第１のブラダ、（２）第２の入口弁および第２の出口弁を備える第２のブラダ、を備え、前記第１のブラダおよび前記第２のブラダが可撓性膜によって分離される、電解液タンク；
前記電解液タンクに流体的に接続されるプローブであって、前記プローブが：
（１）前記第１のブラダに接続される第１の充填弁、または（２）前記第２のブラダに接続される第２の充填弁、のいずれかに選択的に接続される充填ポート、および
共通の排水ラインを通して前記第１のブラダまたは前記第２のブラダのいずれかに選択的に接続される排水弁
を備える、プローブ；ならびに、
前記金属空気バッテリー、前記熱交換器、および前記共通の排水ラインに流体的に接続され、前記第１の入口弁または前記第２の入口弁をそれぞれ通して前記第１のブラダまたは前記第２のブラダのいずれかに選択的に接続される電解液ポンプ、
を備え、
前記高速電解液補充システムは、
前記プローブを受けるための前記受け口であって、前記受け口が、
前記充填ポートを受けるためのアパーチャ；および
前記排水弁から電解液を受け取るための少なくとも１つの排水孔、
を備える、前記受け口；
電解液タンクから前記アパーチャに電解液を圧送するための供給ポンプ；ならびに
前記少なくとも１つの排水孔から電解液保管タンクに電解液を圧送するための真空ポンプ、
を備える、
空中ドローンシステム。
【請求項２】
前記充填ポートが、前記受け口の前記アパーチャの中に嵌め込まれる細長い突出部をさらに備える、請求項１に記載の空中ドローンシステム。
【請求項３】
前記細長い突出部が少なくとも１つのＯリングを備える、請求項２に記載の空中ドローンシステム。
【請求項４】
前記少なくとも１つの排水孔が前記受け口の液滴カップ内に配置される、請求項１に記載の空中ドローンシステム。
【請求項５】
前記少なくとも１つの排水孔が複数の排水孔を含む、請求項１に記載の空中ドローンシステム。
【請求項６】
前記アパーチャが前記複数の排水孔によって囲まれる、請求項５に記載の空中ドローンシステム。
【請求項７】
前記センサのアレイが、少なくとも１ｃｍの距離で分離される第１のセンサおよび第２のセンサを含む、請求項１に記載の空中ドローンシステム。
【請求項８】
前記センサのアレイが３次元（３Ｄ）ステレオカメラを含む、請求項１に記載の空中ドローンシステム。
【請求項９】
空中ドローン上の金属空気バッテリーの電解液を回復させるための方法であって、前記方法が：
請求項１に記載の前記空中ドローンを請求項１に記載の高速電解液補充システムの受け口に合体させるステップであって、合体させるステップが、充填ポートをアパーチャに挿入するステップを含む、ステップと；
排水弁および第１の充填弁を開けるステップと；
供給ポンプを作動させて電解液タンクから前記第１の充填弁を通して第１のブラダの中まで電解液を圧送し、同時に、共通の排水ラインを通して第２のブラダから排出される使用済みの電解液を少なくとも１つの排水孔の中に収集するために真空ポンプを作動させる、ステップと；
前記排水弁および前記第１の充填弁を閉じるステップと；
第２の入口弁および第２の出口弁を閉じて、同時に、第１の入口弁および第１の出口弁を開ける、ステップであって、その結果、電解液ポンプが前記第１のブラダと直列に配置される、ステップと；
前記高速電解液補充システムの前記受け口から前記空中ドローンを脱着するステップと
を含む、方法。
【請求項１０】
前記空中ドローンを前記高速電解液補充システムの前記受け口に合体させるステップと；
前記排水弁および第２の充填弁を開けるステップと；
前記供給ポンプを作動させて前記電解液タンクから前記第２の充填弁を通して前記第２のブラダの中まで電解液を圧送し、同時に、前記共通の排水ラインを通して前記第１のブラダから排出される使用済みの電解液を前記少なくとも１つの排水孔の中に収集する、ステップと；
前記排水弁および前記第２の充填弁を閉じるステップと；
前記第１の入口弁および前記第１の出口弁を閉じて、同時に、前記第１の入口弁および第１の出口弁を開ける、ステップであって、その結果、前記電解液ポンプが前記第２のブラダと直列に配置される、ステップと；
前記前記高速電解液補充システムの前記受け口から前記空中ドローンを脱着するステップと
をさらに含む、
請求項９に記載の方法。
【発明の詳細な説明】
【技術分野】
【０００１】
関連出願の相互参照
[0001]本出願は、参照によりその全体が本明細書に組み込まれている、米国特許出願第６２／７２０，９６５号（２０１８年８月２２日に出願した）の優先権を主張するものであり、その非仮特許出願である。
【背景技術】
【０００２】
[0002]金属空気バッテリー、具体的にはアルミニウム空気バッテリーは、可動式および固定式の分散電源として有望な用途が見込まれる高エネルギー密度の電源を提供するものである。金属空気バッテリーは、ドローンエアクラフトでの内燃エンジン、燃料電池、および他の再充電可能バッテリーに取って代わる可能性を有する。その理由は、エネルギー密度および変換効率が炭化水素燃料のエネルギー密度および変換効率に匹敵するからである。
【０００３】
[0003]アルミニウム空気バッテリーはバッチモードまたは定常状態モードのいずれかで動作することができる。バッテリーの動作中、アルミニウム金属が消費されてアルミン酸塩の形成を伴って電解液となり、結果として電解質溶液を飽和状態にし、最終的にバッテリーの動作を停止させる。約１ｋｇの水酸化カリウム電解液または水酸化ナトリウム電解液が、消耗しきって補充が必要となるまでに４００Ｗｈ以上のエネルギーを放出するのを可能にする。
【０００４】
[0004]定常状態モードでは、アルミン酸塩が溶液から結晶化してハイドラーギライト、Ａｌ（ＯＨ）３、と呼ばれる不溶性の水酸化物を形成する。従来、これらの結晶は電解液流から濾過されて、バッテリーシステムから後で回収されるために保管される。回収された結晶は修復施設（ｒｅｆｕｒｂｉｓｈｉｎｇ  ｆａｃｉｌｉｔｙ）で再びアルミニウムへと変質させられ得る。この電解液修復システム（ｅｌｅｃｔｒｏｌｙｔｅ  ｒｅｆｕｒｂｉｓｈｉｎｇ  ｓｙｓｔｅｍ）の利点は、動作中にバッテリーが一定を維持しているときの電力曲線であり、ここではバッテリーの再充電のために水およびアルミニウム材料を加えることのみが必要となる。
【０００５】
[0005]バッチモードでは、アルミニウム空気バッテリーは、アルミン酸塩により電解液が飽和状態になるまで、動作する。飽和状態になると、バッテリーシステムの外部での処理のためにアルミン酸塩を除去する必要があり、バッテリーの動作を継続するために新しい電解液を導入する必要がある。このシステムはバッテリーからの電力出力を経時的に低下させるという欠点を有するが、使用するための電解液を保管することのみが必要となることを理由としてバッテリーシステム全体がより単純でより軽量になるという追加の利点を有する。
【０００６】
[0006]以前では空中で人によって操作されるシステムによって行われていた多くのタスクにおいて飛行ドローンが検討されるようになっている。例えば、顧客までの最後の数マイルにおける荷物の配達のために、送電線またはパイプラインの安全のための長距離調査のために、および農業者の農場の農作物状態の監視のために、ドローンが使用される。現在、これらの用途においてドローンに電力供給するのに再充電可能なリチウムイオンバッテリーが使用されており、この場合では飛行時間および飛行範囲が大きく制限される。これらの制限は最大積載量が増すにつれて大きくなる。この問題を軽減するために、ドローンの範囲および最大積載量を向上させることを目的として発電機または燃料電池を備える内燃（ＩＣ：ｉｎｔｅｒｎａｌ  ｃｏｍｂｕｓｔｉｏｎ）エンジンがドローンに設置されてきた。これらのシステムの問題の一部に、可燃性のまたは爆発性の液体およびガスを機内で保管するということがあり、これには各電力ユニットのためのサポートシステムの重量が増すということが含まれる。
【０００７】
[0007]したがって、空中ドローンの長時間使用を可能にするための改善された方法が所望される。残念ながら、完全に満足のいく解決策は見出されていない。
[0008]上記の考察は単に一般的な背景技術の情報のために提供されるものであり、特許請求される主題の範囲を決定するのを補助するものとして使用されることを意図されない。
【発明の概要】
【課題を解決するための手段】
【０００８】
[0009]ドッキングレセプタ装置を備えるベースステーションおよび飛行ドローン上にある適合するドッキングプローブから構成される金属空気バッテリー用電解液補充システム（ｍｅｔａｌ  ａｉｒ  ｂａｔｔｅｒｙ  ｅｌｅｃｔｒｏｌｙｔｅ  ｒｅｐｌｅｎｉｓｈｍｅｎｔ  ｓｙｓｔｅｍ）。ドローンの機内にあるプローブが、ベースステーション上の電解液ドッキングレセプタに接続するためにドローンを誘導するセンサを有する。ドローンが、飛行を継続しながらまたは短時間の着陸中に、新しい電解液を入手するためにおよび同時に使用済みの電解液をベースステーションの中へ排出するためにプローブを使用する。電解液を迅速に交換することにより、機内の電解液再調整システムおよびそれに付随する重量による不利益なしで、範囲を広げて飛行時間を延ばすのを可能にする。
【０００９】
[0010]第１の実施形態で、空中ドローンシステムが提供される。空中ドローンシステムが：空中ドローンであって、空中ドローンが：金属空気バッテリー；熱交換器；受け口を検出するためのセンサのアレイ；電解液タンクであって、（１）第１の入口弁および第１の出口弁を備える第１のブラダ（２）第２の入口弁および第２の出口弁を備える第２のブラダ、を備え、第１のブラダおよび第２のブラダが可撓性膜によって分離される、電解液タンク；電解液タンクに流体的に接続されるプローブであって、プローブが、（１）第１のブラダに接続される第１の充填弁、または（２）第２のブラダに接続される第２の充填弁、のいずれかに選択的に接続される充填ポート、および共通の排水ラインを通して第１のブラダまたは第２のブラダのいずれかに選択的に接続される排水弁を備える、プローブ；ならびに、金属空気バッテリー、熱交換器、および共通の排水ラインに流体的に接続され、第１の入口弁または第２の入口弁をそれぞれ通して第１のブラダまたは第２のブラダのいずれかに選択的に接続される電解液ポンプ、を備える、空中ドローンと；高速電解液補充システムであって、高速電解液補充システムが：充填ポートを受けるためのアパーチャ；および排水弁から電解液を受け取るための少なくとも１つの排水孔、を備える、プローブを受けるための受け口；電解液タンクからアパーチャに電解液を圧送するための供給ポンプ；ならびに少なくとも１つの排水孔から電解液保管タンクに電解液を圧送するための真空ポンプ、を備える、高速電解液補充システムと、を備える、空中ドローンシステム。
【００１０】
[0011]第２の実施形態で、空中ドローン上の金属空気バッテリーの電解液を回復させるための方法が提供される。この方法が：空中ドローンを高速電解液補充システムの受け口に合体させることであって、合体させることが、充填ポートをアパーチャに挿入することを含む、ことと；排水弁および第１の充填弁を開けることと；供給ポンプを作動させて電解液タンクから第１の充填弁を通して第１のブラダの中まで電解液を圧送し、同時に、共通の排水ラインを通して第２のブラダから排出される使用済みの電解液を少なくとも１つの排水孔の中に収集するために真空ポンプを作動させる、ことと；排水弁および第１の充填弁を閉じることと；第２の入口弁および第２の出口弁を閉じて、同時に、第１の入口弁および第１の出口弁を開ける、ことであって、その結果、電解液ポンプが第１のブラダと直列に配置される、ことと；高速電解液補充システムの受け口から空中ドローンを脱着することとを含む。
【００１１】
[0012]本発明のこの簡単な説明は、１つまたは複数の例示の実施形態による本明細書で開示される主題の概要を提供することのみを意図され、特許請求の範囲を解釈するためのあるいは本発明の範囲を画定または制限するための案内として働くものではない。本発明の範囲は添付の特許請求のみによって画定される。この簡単な説明は、概念の例示の選択肢を単純な形で案内するために提供されるものであり、概念の例示の選択肢を以下の詳細な説明でさらに説明する。この簡単な説明は、特許請求される主題の重要な特徴または不可欠な特徴を明らかにすることを意図されず、また特許請求される主題の範囲を決定するのを補助するものとして使用されることを意図されない。特許請求される主題は、背景技術に記載される任意のまたはすべての欠点を解決する実装形態のみに限定されない。
【００１２】
[0013]本発明の特徴を理解することができるようにするために、特定の実施形態を参照して本発明を詳細に説明することができる。特定の実施形態の一部が添付図面に示される。しかし、本発明の範囲が他の同様に効果的な実施形態を包含することを理由として、図面が本発明の特定の実施形態のみを示すものであり、したがって本発明の範囲を限定するものとみなされない、ことに留意されたい。図面は必ずしも正確な縮尺ではなく、本発明の特定の実施形態の特徴を示す場合には一般に強調が行われる。図面では、種々の図を通して同様の部品を示すために同様の符号が使用される。したがって、本発明をさらに理解するために、図面と併せて読まれる以下の詳細な説明を参照することができる。
【図面の簡単な説明】
【００１３】
【図１】[0014]高速電解液補充システムに合体しているところのドローンを示す図である。
【図２Ａ】[0015]ドローンの選択された構成要素を示す概略図である。
【図２Ｂ】[0016]ドローンに電解液を再充填する一段階の流路を示す概略図である。
【図２Ｃ】ローンに電解液を再充填する一段階の流路を示す概略図である。
【図２Ｄ】ローンに電解液を再充填する一段階の流路を示す概略図である。
【図２Ｅ】ローンに電解液を再充填する一段階の流路を示す概略図である。
【図３】[0017]高速電解液補充システムを示す概略図である。
【図４】[0018]ドローンのプローブを示す図である。
【図５】[0019]図５Ａは、高速電解液補充システムに合体する前のプローブを示す図である。[0020]図５Ｂは、高速電解液補充システムに合体した後のプローブを示す図である。
【図６】[0021]高速電解液補充システムの受け口を示す図である。
【図７】[0022]ドローンのプローブを受けるための受け口を示す切欠図である。
【発明を実施するための形態】
【００１４】
[0023]図１を参照すると、ペイロード１０６を配達するためのドローン１００が示されている。ドローン１００が、ドローン１００に電力を提供する金属空気バッテリー１０２のバッチ動作のために構成される。ドローン１００が、複数のプロペラ、無線通信デバイス、およびドローン１００の機能を制御するためのマイクロプロセッサを含めた、ドローンの従来の構成要素を有する。ドローンシステム１００が、数時間の通常動作にわたって電解液を保持するのに十分な容積を有する電解液保管タンク１０４をさらに備える。電解液がアルミン酸塩により充填状態になると、金属空気バッテリー１０２が電力出力閾値未満に低下する。これによりドローン１００をベースステーションまで飛行させるためのプロトコルが始動し、高速電解液補充システム２００がベースステーションのところに位置している。飛行中、ドローンが前進し、その結果、機内のプローブ４００が受け口５００に取り付けられ、使用済みの電解液を取り除きながら同時に新しい電解液を保管タンク１０４の中へ移す。これがほんの数秒で行われ、ドローン１００が飛行して離れてペイロード１０６を配達するというその任務を継続する。この構成により、多くの従来の定常状態システムで見られるような重量および複雑さがドローンから取り除かれる。この重量は、ペイロード１０６およびドローン内の構造のために直接に使用され得る。
【００１５】
[0024]図２Ａが、ドローン１００の選択された構成要素の概略図である。ドローン１００が、電解液を保管するためのタンク１０４と、金属空気バッテリー１０２と、ドッキングプローブ４００とを備える。ドローン１００が、バッテリー１０２および熱交換器２０８を通して電解液を循環させるための小型ポンプ２０６を含む。タンク１０４が、可撓性膜２１０によって分離される二重ブラダシステムを有し、その結果、１つのブラダが充填状態であり、もう一方のブラダが空である。これにより、充填される電解液が、同時に、もう一方のブラダ内の電解液を押し出す。
【００１６】
[0025]図２Ｂが、金属空気バッテリー１０２がブラダ１０４ａからの電解液を使用しているときの流体経路を描いている。ポンプ２０６が、ブラダ１０４ａから、弁ＯＵＴ−Ａを通して、熱交換器２０８を通して、金属空気バッテリー１０２の中まで、電解液を圧送する。その後、電解液が弁ＩＮ−Ａを通してブラダ１０４ａに戻される。金属空気バッテリー１０２の動作により電解液がゆっくり消費される。所定の条件が満たされた後（例えば、バッテリーが閾値の電力出力未満に低下するかまたは所定の動作時間が経過すると）、ドローンが高速電解液補充システム２００と合体し、このタイミングで流体経路が図２Ｃの流体経路へ変化する。
【００１７】
[0026]図２Ｃでは、充填弁Ｆ２および排水弁Ｄ１が開けられている。ポンプ２０６が、図２Ｂに示される流体経路を通して電解液を継続して圧送し、同時に新しい電解液が充填弁Ｆ２を通してブラダ１０４ｂの中まで圧送される。この新しい電解液がブラダ１０４ｂを拡大させ、それによりブラダ１０４ａを圧縮する。この圧縮により、余分な使用済みの電解液が、共通の排水ライン２０４に接続される排水弁Ｄ１を通してブラダ１０４ａから押される。所定の量の電解液が交換されるまで、継続して、新しい電解液が充填され、使用済みの電解液が排除される。例えば、タンク１０４の容積の９０％に等しい量の電解液が交換されるまで、流体の交換を継続することができる。完了後、流体経路が図２Ｄの流体経路へ変化する。
【００１８】
[0027]図２Ｄでは、充填弁Ｆ２および排水弁Ｄ１が閉じられている。同時に、弁ＩＮ−ＡおよびＯＵＴ−Ａが閉じられており、ブラダ１０４ａを密閉しており、対して弁ＩＮ−ＢおよびＯＵＴ−Ｂが開けられており、ブラダ１０４ｂをポンプ２０６と直列に配置している。ブラダ１０４ｂ内の電解液が十分に消費されると、ドローン１００が高速電解液補充システム２００と合体し、このタイミングで流体経路が図２Ｅの流体経路へ変化する。
【００１９】
[0028]図２Ｅの流体経路は、ブラダ１０４ａが充填弁Ｆ１を通して充填を行われており対してブラダ１０４ｂが排水弁Ｄ１を通して排水を行われていることを除いて、図２Ｃの流体経路に類似する。充填および排水が完了すると、ドローン１００が図２Ｂに示される状態に戻る。
【００２０】
[0029]図３に示されるように、プローブ４００が高速電解液補充システム２００の受け口５００のところで合体し、プローブ４００が電解液回復ライン３００および電解液供給ライン３０２の両方に流体的に接続される。供給ポンプ３０８が、新しい電解液タンク３１０から、それぞれの充填弁Ｆ１、Ｆ２を通して、その時点のブラダ１０４ａ、１０４ｂまで、加圧された電解液を供給する。真空ポンプ３０４が、受け口５００内に置かれる使用済みの電解液を排出して使用済みの電解液を使用済み電解液タンク３０６内で保管する。真空空気の流れが受け口５００を迅速に空にするのを補助し、また高速電解液補充システム２００から離れるときにプローブ４００から液滴も取り除く。高速電解液補充システム２００上の供給ポンプ３０８および真空ポンプ３０４が、ドローン１００上のバッテリー１０２を通して電解液を継続的に循環させる機内のポンプ２０６を用いてブラダに対して充填を行ったりブラダを空にしたりする。有利には、これにより、バッテリー１０２を動作させながらの電解液の交換が可能となる。
【００２１】
[0030]図４がプローブ４００をさらに詳細に描いている。プローブ４００が、プローブ４００を高速電解液補充システム２００の受け口５００まで誘導するのを補助する細長い突出部を有する。プローブ４００が、充填弁Ｆ１および充填弁Ｆ２の両方につながる中央充填ポート４００ａを細長い突出部の端部のところに有する。プローブ４００を受け口５００の中に配置するのを補助するセンサ４０２のアレイが存在する。一実施形態では、少なくとも１ｃｍの距離（ｄ）で分離される少なくとも２つのセンサ４０２が存在する。このような構成により、合体を容易にするような、受け口５００の立体視が可能となる。一実施形態では、センサ４０２が３次元（３Ｄ）ステレオカメラである。受け口５００の中に嵌め込まれるプローブ４００上に少なくとも１つのＯリング４００ｃがさらに存在し、それにより電解液を機内のタンク１０４の中に高圧供給することが可能となる。排水孔４００ｂが排水弁Ｄ１に接続され、使用済みの電解液を受け口５００の中に放出する。受け口５００は地面または表面から十分に離れた高さのところに設置され、それにより、ドローン１００のクリアランスにより、飛行中にまたは小さいプラットフォームに着地しているときに燃料補給を行うことが可能となる。図５Ａおよび図５Ｂが、受け口５００の中へのプローブ４００の合体のより詳細な図を提供する。
【００２２】
[0031]図５Ａに示されるように、受け口５００が、壁５０６によって画定される液滴カップ５０２を有し、底部に中央アパーチャ５０４を有する。中央アパーチャ５０４が、電解液回復ライン３００に流体的に接続される排水真空孔６００（図６）によって囲まれる。中央アパーチャ５０４が電解液供給ライン３０２に流体的に接続される。プローブ４００が受け口５００に接近すると、Ｏリング４００ｃが周りの壁に係合されるまで、細長い突出部４０４が中央アパーチャ５０４の中に挿入される。図５Ｂが係合後の組立体を描いている。新しい電解液が電解液供給ライン３０２を通して提供され、対して使用済みの電解液が排水孔４００ｂを通して排出されて排水真空孔６００の中まで流れる。液滴カップ５０２が存在することにより、排水孔４００ｂが排水真空孔６００との液密シールを形成する必要がない。図７が、排水真空孔６００および中央アパーチャ５０４をさらに示す、受け口５００の切欠図である。
【００２３】
[0032]いくつかの実施形態では、複数のドローンに対して仕事を行う、複数のシステムとのネットワークが存在する。各高速電解液補充システム２００が、中央ネットワークに電解液の利用可能性を報告するコンピュータネットワークを有し、その結果、各々の個別のシステムの仕事が適宜遂行され得るようになり、他のドローンが、いずれのステーションが電解液で満たされているかまたは電界液を欠いているかを決定することが可能となる。各高速電解液補充システム２００のための全地球測位システム（ＧＰＳ：Ｇｌｏｂａｌ  Ｐｏｓｉｔｉｏｎｉｎｇ  Ｓｙｓｔｅｍ）の座標がドローン１００を概略のロケーションまで誘導するのに使用され、ドローン１００に対して充填および排水を行うために最後の０．５メートルでは視覚により合体が行われる。
【００２４】
[0033]ドローン１００が、予めプラグラムされた命令に従って各々の弁を選択的に作動させるためのマイクロプロセッサを有する。また、マイクロプロセッサが、再充填プロセス／排水プロセス中の各ブラダの容積を決定するためにブラダ１０４ａ、１０４ｂの充填状態を監視する。各ブラダの容積は、圧力センサ、超音波センサなどの、多様な従来のセンサのうちの任意のセンサを使用して決定される。
【００２５】
[0034] 記載される本説明は、最良の形態を含めて本発明を開示するために、さらには、任意のデバイスまたはシステムを作ったり使用したりすることおよび任意の組み込まれる方法を実施することを含めて当業者が本発明を実施するのを可能にするために、実施例を使用するものである。本発明の特許可能な範囲は特許請求の範囲によって定義され、当業者の思い付く他の例を含むことができる。このような他の例が特許請求の範囲の文言と違わない構造要素を有するかまたは特許請求の文言に対して有意な違いを有さない等価の構造要素を含む場合、このような他の例も特許請求の範囲の範囲内にあることを意図される。
【図１】
2021534035.tif 000003
【図２Ａ】
2021534035.tif 000004
【図２Ｂ】
2021534035.tif 000005
【図２Ｃ】
2021534035.tif 000006
【図２Ｄ】
2021534035.tif 000007
【図２Ｅ】
2021534035.tif 000008
【図３】
2021534035.tif 000009
【図４】
2021534035.tif 000010
【図５Ａ】
2021534035.tif 000011
【図５Ｂ】
2021534035.tif 000012
【図６】
2021534035.tif 000013
【図７】
2021534035.tif 000014
【手続補正書】
【提出日】令和3年4月26日(2021.4.26)
【手続補正１】
【補正対象書類名】図面
【補正対象項目名】図２Ａ
【補正方法】変更
【補正の内容】
【図２Ａ】
2021534035.tif 000015
【手続補正２】
【補正対象書類名】図面
【補正対象項目名】図２Ｂ
【補正方法】変更
【補正の内容】
【図２Ｂ】
2021534035.tif 000016
【手続補正３】
【補正対象書類名】図面
【補正対象項目名】図２Ｃ
【補正方法】変更
【補正の内容】
【図２Ｃ】
2021534035.tif 000017
【手続補正４】
【補正対象書類名】図面
【補正対象項目名】図２Ｄ
【補正方法】変更
【補正の内容】
【図２Ｄ】
2021534035.tif 000018
【手続補正５】
【補正対象書類名】図面
【補正対象項目名】図２Ｅ
【補正方法】変更
【補正の内容】
【図２Ｅ】
2021534035.tif 000019
【国際調査報告】
2021534035.tif 000020